(57)【要約】【課題】携帯電話機表面の外装パネルに、種々のチャームを備えたアクセサリーを着脱自在に取り付けることで、携帯電話機の外観上の見栄えを向上する。【解決手段】携帯電話機１の表面に外装パネル４を固定する複数のアイボルト体５を備え、該アイボルト体５を介して、種々のチャームを備えたアクセサリー６を携帯電話機１に取り付ける。アクセサリー６は、アイボルト体５に取り付けたチェーン７を介して吊り下げ状に取り付けたり、あるいは一対のアイボルト体５相互間に架け渡したチェーン７を介して吊り下げ状に取り付けたりする。また、アクセサリー６は、開放乃至閉塞可能なフック環８を介してアイボルト体５もしくはチェーン７に着脱可能に取り付ける。【選択図】図１
0003117772.tif 000002
【実用新案登録請求の範囲】
【請求項１】
携帯電話機の表面に外装パネルを固定する複数のアイボルト体を備え、該アイボルト体を介して、種々のチャームを備えたアクセサリーを携帯電話機に取り付けて成ることを特徴とする携帯電話機用アクセサリーの取付構造。
【請求項２】
アクセサリーは、アイボルト体に取り付けたチェーンを介して吊り下げ状に取り付けられている請求項１記載の携帯電話機用アクセサリーの取付構造。
【請求項３】
アクセサリーは、一対のアイボルト体相互間に架け渡したチェーンを介して吊り下げ状に取り付けられている請求項１記載の携帯電話機用アクセサリーの取付構造。
【請求項４】
アクセサリーは、開放乃至閉塞可能なフック環を介してアイボルト体もしくはチェーンに着脱可能に取り付けられる請求項１乃至３のいずれか記載の携帯電話機用アクセサリーの取付構造。
【考案の詳細な説明】
【技術分野】
【０００１】
本考案は、携帯電話機に例えば種々のチャームを備えたアクセサリーを着脱可能とした携帯電話機用アクセサリーの取付構造に関する。
【背景技術】
【０００２】
従来、種々のチャームを備えたアクセサリーを携帯電話機に取り付ける場合には、該携帯電話機側面に形成された取付枠部に例えば縛着されるストラップを介して当該アクセサリーを取り付けていた。
【０００３】
また、従来の携帯電話機の蓋体表面には、下面に例えば赤色や青色等の各種に施色されて成るアクリル樹脂製等の硬質な合成樹脂製の外装パネルが任意に選択されることにより、当該外装パネルの四隅の挿通孔から蓋体のネジ孔にボルト体をねじ込むことで着脱自在に固定されるものとしてある。このとき、ボルト体のボルト頭部に形成されている六角穴に六角レンチを装着し、該六角レンチを廻すことによってボルト体をねじ込むようにしてある。
【特許文献１】特になし
【考案の開示】
【考案が解決しようとする課題】
【０００４】
しかしながら、従来においては、取付枠部に集中して複数のアクセサリーが吊下げ状に取り付けられたり、取付枠部に連結したストラップに複数のアクセサリーがまとめて取り付けられたりしているため、かえって携帯電話機自体の体裁が損なわれる。
【０００５】
また、従来のボルト体によってアクセサリーを取り付ける場合には、先ず、ボルト体のボルト頭部に形成されている六角穴に六角レンチを装着し、該六角レンチを廻してボルト体を蓋体および外装パネルから取り外す。その後、アクセサリーを取り付けたチェーンの端部側環状部にボルト軸部を挿入しておき、外装パネルの四隅の挿通孔から蓋体のネジ孔にボルト体をねじ込むことでアクセサリーを固定する。しかしながら、これによると外装パネルから六角レンチを使ってボルト体をいちいち取り外さねばならず非常に面倒であった。
【０００６】
そこで、本考案は叙上のような従来存した諸事情に鑑み案出されたもので、携帯電話機表面の外装パネル側に、例えば種々のチャームを備えたアクセサリーを簡単でしかも着脱自在に取り付けられるようにすることで、携帯電話機の外観上の見栄えを容易に向上させることのできる携帯電話機用アクセサリーの取付構造を提供することを目的とする。
【課題を解決するための手段】
【０００７】
上述した課題を解決するため、本考案にあっては、携帯電話機１の表面に外装パネル４を固定する複数のアイボルト体５を備え、該アイボルト体５を介して、種々のチャームを備えたアクセサリー６を携帯電話機１に取り付けて成るものである。
アクセサリー６は、アイボルト体５に取り付けたチェーン７を介して吊り下げ状に取り付けられるものとすることができる。
アクセサリー６は、一対のアイボルト体５相互間に例えば弛緩状に架け渡したチェーン７を介して吊り下げ状に取り付けられるものとすることができる。
アクセサリー６は、開放乃至閉塞可能なフック環８を介してアイボルト体５もしくはチェーン７に着脱可能に取り付けられるものとすることができる。
【０００８】
以上のように構成された本考案に係る携帯電話機用アクセサリーの取付構造にあって、アイボルト体５は、携帯電話機１の表面に外装パネル４を固定させると同時に、アイボルト体５に、種々のチャームを備えたアクセサリー６をチェーン７を介して吊り下げ状に取り付け可能にさせる。
【考案の効果】
【０００９】
本考案によれば、携帯電話機１表面の外装パネル４側に、種々のチャームを備えたアクセサリー６を簡単でしかも着脱自在に取り付けられるから、携帯電話機１の外観上の見栄えを容易に向上させることができる。
【００１０】
すなわちこれは、本考案が、携帯電話機１の表面に外装パネル４を固定する複数のアイボルト体５を備え、該アイボルト体５を介して、種々のチャームを備えたアクセサリー６を携帯電話機１に取り付けて成るからであり、これにより、種々のチャームを備えたアクセサリー６を、六角レンチ等の工具による取付け、取外し作業を要することなく、しかも外装パネル４を固定しているアイボルト体５を取り外すことなく、当該アイボルト体５を介して携帯電話機１に容易に取り付けることができる。
【００１１】
アクセサリー６は、アイボルト体５に取り付けたチェーン７を介して吊り下げ状に取り付けられるので、チェーン７でもってブラブラと揺れるアクセサリー６により、携帯電話機１の外観上の見栄えをさらに向上させることができる。
【００１２】
アクセサリー６は、一対のアイボルト体５相互間に架け渡したチェーン７を介して吊り下げ状に取り付けられるので、一対のアイボルト体５相互間で例えば弛緩状に架け渡したチェーン７を介してブラブラと揺れるアクセサリー６により、携帯電話機１の外観上の見栄えをさらに一層向上させることができる。
【００１３】
アクセサリーは、開放乃至閉塞可能なフック環８を介してアイボルト体５もしくはチェーン７に着脱可能に取り付けられるので、携帯電話機１にアクセサリー６の種々のチャームを容易に交換することができる。
【００１４】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１５】
以下、図面を参照して本考案を実施するための最良の一形態を説明すると、図において示される符号１は、ダイヤル部、送話部等を備えた筐体に対し、アンテナ、受話部、表示部等を備えた蓋体２をヒンジ部３を介して開閉方向に揺動可能として成る例えばカメラ付の携帯電話機である。
【００１６】
携帯電話機の蓋体２表面には、図１に示すように、下面に例えば赤色や青色等の各種に施色されて成るアクリル樹脂製等の硬質な合成樹脂製の外装パネル４が、当該外装パネル４の四隅の挿通孔４Ａから蓋体２のネジ孔２Ａにアイボルト体５をねじ込むことによって固定されるものとなっている。
【００１７】
アイボルト体５は、図２に示すように、ボルト頭部５Ａの上面に突設した孔径が約２ｍｍ程度の環状部５Ｂと、ボルト頭部５Ａの下面に、第１段差部５Ｃおよび第２段差部５Ｄを介して突設したボルト軸部５Ｅとを備えている。尚、第２段差部５Ｄを形成する代わりに、ボルト頭部５Ａを第１段差部５Ｃから下方に向けて直接突設しても良い。
【００１８】
この第１段差部５Ｃは、外装パネル４の四隅にある挿通孔４Ａの内周面に形成されている段差部４Ｂに合致するように形成してある。また、ボルト軸部５Ｅは、外装パネル４の挿通孔４Ａを通して蓋体２のネジ孔２Ａにねじ込まれるものとしてある。
【００１９】
アイボルト体５の環状部５Ｂには、例えばファンシーラインストーンタイプ（図１（ａ）参照）、ストリートアクセタイプ（図１（ｂ）参照）等の種々のチャームを備えたアクセサリー６がチェーン７を介して吊り下げ状に取り付けられるようにしてある。尚、この図１において、取り付ける前のアクセサリー６等は、携帯電話機１に比しその詳細形態を表すために大きく図示されている。
【００２０】
また、左右一対のアイボルト体５相互間にチェーン７が例えば弛緩状となって架け渡されるように当該チェーン７両端を左右一対のアイボルト体５の環状部５Ｂそれぞれに取り付け、このチェーン７の垂れ下がった中間部分に、例えばリボン形、十字架形、ハート形、三ツ葉形等に象った輝石もしくは金属プレート、あるいはマスコット、さらにはネームプレート等の種々のチャームを有するアクセサリー６が吊り下げ状に取り付けられるようにしてある。
【００２１】
上記したアイボルト体５の環状部５Ｂへのチェーン７の取り付け、またはチェーン７へのアクセサリー６の取り付けは、開放乃至閉塞可能なフック環８を介して着脱可能に取り付けられるようにしてある。このときアクセサリー６をチェーン７に取り付ける場合には、チェーン７を構成する１つのリング孔にフック環８を開放して架け通すか、あるいはチェーン７自体をフック環８に通すかして取り付けるものとしてある。
【００２２】
次に、以上のように構成された最良の形態についての使用、組立の一例について説明すると、図１に示すように、図においての上方左側のアイボルト体５の環状部５Ｂにチェーン７の一端をフック環８を介して取り付け、チェーン７の途中を弛緩させた状態にして上方右側のアイボルト体５の環状部５Ｂにチェーン７の他端をフック環８を介して取り付ける。
【００２３】
そして、チェーン７の垂れ下がった部分の複数箇所にフック環８を介して所定のアクセサリー６を吊り下げ状に取り付ける。
【００２４】
また、アイボルト体５の上方左側の環状部５Ｂには、チェーン７の一端をフック環８を介して取り付けると共に、チェーン７の他端側にアクセサリー６をフック環８を介して取り付けても良い。さらに、下方左右側にあるアイボルト体５の環状部５Ｂそれぞれにフック環８を介してアクセサリー６を取り付けても良い。
【００２５】
アクセサリー６のチャームを交換する場合には、フック環８を開放することで、チェーン７、またはアイボルト体５の環状部５Ｂから容易にアクセサリー６を取り外すことができる。
【図面の簡単な説明】
【００２６】
【図１】本考案を実施するための最良の形態を示すもので、（ａ）はファンシーラインストーンタイプのチャームを備えたアクセサリーを携帯電話機に取り付ける状態の一部切欠正面図、（ｂ）はストリートアクセタイプのチャームを備えたアクセサリーを携帯電話機に取り付ける状態の一部切欠正面図である。
【図２】同じくアイボルト体の形態の一例を示すもので、（ａ）は平面図、（ｂ）は正面図、（ｃ）は側面図である。
【符号の説明】
【００２７】
１…携帯電話機                          ２…蓋体
２Ａ…ネジ孔                            ３…ヒンジ部
４…外装パネル                          ４Ａ…挿通孔
４Ｂ…段差部                            ５…アイボルト体
５Ａ…ボルト頭部                        ５Ｂ…環状部
５Ｃ…第１段差部                        ５Ｄ…第２段差部
５Ｅ…ボルト軸部                        ６…アクセサリー
７…チェーン                            ８…フック環
【図１】
0003117772.tif 000003
【図２】
0003117772.tif 000004